(57)【特許請求の範囲】
【請求項１】
データ入力モードを相対値モードと絶対値モードに切り替え可能な内蔵ポインティングデバイスと、
データ入力モードが相対値モードの外部ポインティングデバイスを接続可能な入出力ポートと、
信号制御手段と、
前記信号制御手段からの指示に基づき、前記入出力ポートからの入力信号を遮断する信号遮断手段とを備え、
前記信号制御手段は、前記内蔵ポインティングデバイスのデータ入力モードが絶対値モードのとき、前記入出力ポートからの入力信号を遮断するよう前記信号遮断手段へ指示し、前記内蔵ポインティングデバイスのデータ入力モードが相対値モードのとき、前記入力ポートからの入力信号の遮断を解除するよう前記信号遮断手段へ指示する情報処理装置。
【請求項２】
データ入力モードを相対値モードと絶対値モードに切り替え可能な内蔵ポインティングデバイスと、
データ入力モードが相対値モードの外部ポインティングデバイスを接続可能な入出力ポートと、
信号制御手段と、
前記信号制御手段からの指示に基づき、前記入出力ポートからの入力信号を遮断する信号遮断手段と、
前記内蔵ポインティングデバイスの入力モードを指定する手段と、
前記内蔵ポインティングデバイスのデータ入力モードを相対値と絶対値に切り替える入力モード切り替え手段とを備え、
前記信号制御手段は、
前記指定された入力モードが絶対値モードのとき、前記内蔵ポインティングデバイスを絶対値モードに切り替えるよう前記入力モード切替手段に指示するとともに、前記入出力ポートからの入力信号を遮断するよう前記信号遮断手段に指示し、
前記指定された入力モードが相対値モードのとき、前記内蔵ポインティングデバイスを相対値モードに切り替えるよう前記入力モード切替手段に指示するとともに、前記入出力ポートからの入力信号の遮断を解除するよう前記信号遮断手段へ指示する情報処理装置。
【発明の詳細な説明】
【０００１】
【発明の属する技術分野】
本発明はポインティングデバイスを有する情報処理装置に関する。
【０００２】
特に、絶対座標の入力が可能なタッチパッド形式のポインティングデバイスを内蔵する情報処理装置に関する。
【０００３】
【従来の技術】
今日市場に出回っているノート型情報処理装置には、トラックボール形式のポインティングデバイス、棒状のポインティングデバイスと並び、タッチパッド形式のポインティングデバイスが多く内蔵されている。図４は、タッチパッド形式のポインティングデバイスを内蔵するノート型情報処理装置のポインティングデバイス部分の構成図である。
【０００４】
図４に示すように、内蔵ポインティングデバイス２とは別に、外部ポインティングデバイス１の接続のための入出力ポート５が備えられていることが多い。
【０００５】
外部ポインティングデバイス１は一般にマウス（以下外部マウスという）が使用され、内蔵ポインティングデバイス２からの入力データと外部マウス１からの入力データは、同じキーボードコントローラー４のマウスインターフェース４ａに入力されて処理されるようになっている。
【０００６】
【発明が解決しようとする課題】
タッチパッド形式のポインティングデバイス（以下タッチパッドと言う）は、指や筆記用具が接触した位置の絶対座標を検出することができるため、原理的に移動量（相対値）だけでなく絶対値入力が可能であり、例えば指で文字を入力するなどのサイン機能を実現することも可能である。
【０００７】
ところが、外部ポインティングデバイスとして一般的に使用されるマウスは相対移動量をデータとして出力するものであり、同じキーボードコントローラーのマウスインターフェースに接続して用いる限り、絶対値、相対値のように形式の異なるデータを混在して使用することはできないため、タッチパッドからの入力データも相対値データとして扱わざるを得なかった。
【０００８】
逆に、このようなとき、タッチパッドの特徴ともいえる絶対値モードのデータを扱いたい文字認識などのアプリケーションプログラムにおいては、タッチパッドからの絶対値入力データと、外部マウスからの相対値入力データが同時に入力される可能性があるために、誤動作が発生するおそれがあった。そのため、操作者においてはタッチパッドの入力モードを切り替える場合には外部マウスを着脱する必要があり、さらに着脱のためにシステムの再起動が必要となっていた。
【０００９】
本発明は、このような課題を解決することを目的とし、タッチパッドを内蔵し、外部マウスを接続可能な入出力ポートを備え、タッチパッドの入力モードを相対値モード、絶対値モードに切り替え可能で、形式の異なる入力データによる誤動作を防止できる情報処理装置を提供する事を目的とする。
【００１０】
【課題を解決するための手段】
この課題を解決するために本発明は、入出力ポートからの入力信号を遮断する信号遮断手段と、上記内蔵ポインティングデバイスのデータ入力モードを相対値と絶対値に切り替える入力モード切り替え手段と、上記入力モード切り替え手段と上記信号遮断手段を制御する信号制御手段とを具備するものである。
【００１１】
【発明の実施の形態】
本発明は、パーソナルコンピュータ等の情報処理装置であって、データ入力モードを相対値モードと絶対値モードに切り替え可能な内蔵ポインティングデバイスと、外部マウスなどデータ入力モードが相対値モードの外部ポインティングデバイスを接続可能な入出力ポートと、信号制御手段と、上記入出力ポートからの入力信号を遮断する信号遮断手段とを備え、上記信号制御手段は、内蔵ポインティングデバイスのデータ入力モードが絶対値モードのとき、入出力ポートからの入力信号を遮断するよう信号遮断手段へ指示し、内蔵ポインティングデバイスのデータ入力モードが相対値モードのとき、入力ポートからの入力信号の遮断を解除するよう前記信号遮断手段へ指示する。これにより、外部マウスを接続したまま、タッチパッドの入力モードを所望の入力モードに応じて切り替えができると共に、絶対値モードの場合には外部マウスからの信号による誤動作を防止し、相対値モードの場合には外部マウスとの同時使用を可能とする。
【００１２】
また、本発明は、内蔵ポインティングデバイスの入力モードを指定する手段をさらに備え、信号制御手段は、指定された入力モードが絶対値モードのとき、内蔵ポインティングデバイスを絶対値モードに切り替えるよう入力モード切替手段に指示するとともに、入出力ポートからの入力信号を遮断するよう信号遮断手段に指示し、指定された入力モードが相対値モードのとき、内蔵ポインティングデバイスを相対値モードに切り替えるよう入力モード切替手段に指示するとともに、入出力ポートからの入力信号の遮断を解除するよう前記信号遮断手段へ指示する。また、入力モード検出手段または外部ポインティングデバイス検出手段を設けることにより、信号制御手段による制御の無駄を省き、高速化を図るものである。
【００１３】
以下、本発明の実施の形態について、図１から図３を用いて説明する。
（実施の形態１）
図１は、本発明の実施の形態１による情報処理装置のポインティングデバイス部分の構成図であり、１は外部マウス、２はタッチパッド、３はキーボード、４はキーボードコントローラー、４ａはマウスインターフェース、４ｂはキーボードインターフェース、５は入出力ポート、６は信号遮断手段、７は入力モード切り替え手段、８は信号制御手段である。
【００１４】
外部マウス１は入出力ポート５を介し、信号遮断手段６を経由してキーボードコントローラー４のマウスインターフェース４ａに接続されており、タッチパッド２も同じくマウスインターフェース４ａに接続される。
【００１５】
キーボード３は、キーボードインターフェース４ｂを介してキーボードコントローラー４に接続され、操作者の所望する入力モードを入力する手段として用いられる。
【００１６】
また、入力モード切り替え手段７はタッチパッド２に接続され、入力モードを操作することができる。
【００１７】
信号制御手段８は、信号遮断手段６と入力モード切り替え手段７に接続され、キーボード３から入力された操作者の入力モードが絶対値モードの場合は、信号遮断手段６に対して入出力ポート５からの信号を遮断するように指示するとともに入力モード切り替え手段７に対しては入力モードを絶対値モードに切り替えるように指示する。操作者の入力モードが相対値モードの場合は、信号遮断手段６に対して入出力ポート５からの信号の遮断を解除するように指示するとともに入力モード切り替え手段７に対しては入力モードを相対値モードに切り替えるように指示する。
【００１８】
本構成により、外部マウスを接続したまま、タッチパッドの入力モードを所望の入力モードに応じて切り替えができると共に、絶対値モードの場合には外部マウスからの信号による誤動作を防止し、相対値モードの場合には外部マウスとの同時使用を可能にするという効果を有する。
【００１９】
（実施の形態２）
図２は、本発明の実施の形態２による情報処理装置のポインティングデバイス部分の構成図である。
【００２０】
１から８は実施の形態１と同様であるので説明は省略する。９は入力モード検出手段であり、入力モード切り替え手段７がタッチパッド２に対して行った操作を信号制御手段８に検出させるために設けられている。本構成により、信号制御手段８は、現在の入力モードが操作者の所望の入力モードに一致している場合には制御を省略できるという効果を有する。
【００２１】
（実施の形態３）
図３は、本発明の実施の形態３による情報処理装置のポインティングデバイス部分の構成図である。
【００２２】
１から９は実施の形態２と同様であるので説明は省略する。１０は外部ポインティングデバイス検出手段であり、外部マウス１が入出力ポート５に接続されているか否かを検出し、その検出信号は信号制御手段８に接続されている。本構成により、信号制御手段８は、外部マウス１が接続されていない場合には、信号遮断手段６への制御を省略できるという効果を有する。
【００２３】
【発明の効果】
以上のように本発明によれば、外部マウスを接続したままでも、タッチパッドの入力モードを誤動作の心配なく自由に切り替えができ、入力モード操作のために外部マウスを着脱する必要がなくなり、安全性と共に操作者の利便性を向上させる効果を有する。
【図面の簡単な説明】
【図１】本発明の実施の形態１による情報処理装置のポインティングデバイス部分の構成図
【図２】本発明の実施の形態２による情報処理装置のポインティングデバイス部分の構成図
【図３】本発明の実施の形態３による情報処理装置のポインティングデバイス部分の構成図
【図４】従来の情報処理装置のポインティングデバイス部分の構成図
【符号の説明】
１  外部マウス
２  タッチパッド
３  キーボード
４  キーボードコントローラー
４ａ  マウスインターフェース
４ｂ  キーボードインターフェース
５  入出力ポート
６  信号遮断手段
７  入力モード切り替え手段
８  信号制御手段
９  入力モード検出手段
１０  外部ポインティングデバイス検出手段
【図１】
0004161425.tif 000002
【図２】
0004161425.tif 000003
【図３】
0004161425.tif 000004
【図４】
0004161425.tif 000005